(57)【要約】【課題】  使い勝手が良いナットを提供する。【解決手段】  第１ナット体１と第２ナット体２とからなり、第１ナット体１は平面六角形のナット部１１と座部１２とを二段に形成し、ナット部１１の軸心部には第１取付け孔１３を、座部の軸心部には収納孔１４を互いに連通状態に貫通し、第１取付け孔は第１ナット体１の軸心を中心とするねじ孔１３１と、このねじ孔の径より大きくかつねじ孔から偏芯しているスライド孔１３２とを組み合わせ、第１取付け孔の内周の上記ねじ孔側がねじ部１３１ａであり、第２ナット体２は一端側に小径部２１を有し、その軸心方向にねじ孔２３１とスライド孔２３２を組み合わせて形成されている第２取付け孔２３を貫通し、小径部は座部の収納孔内に軸心方向に移動可能に、軸心を中心として回転可能にかつ離脱不能に収納されている。【選択図】        図１
2006064042.tif 000002
【特許請求の範囲】
【請求項１】
第１ナット体と第２ナット体とからなり、
上記第１ナット体はその軸心方向に平面六角形のナット部と座部とを一体に形成してあって、上記ナット部の軸心部には第１取付け孔を、上記座部の軸心部には収納孔をそれぞれ互いに連通状態に貫通してあり、
上記第１取付け孔は、上記第１ナット体の軸心を中心とするねじ孔と、このねじ孔の径より大きくかつねじ孔から偏芯しているスライド孔とを組み合わせて形成され、第１取付け孔の内周の上記ねじ孔側がねじ部であり、
上記第２ナット体は一端側に小径部を有し、その軸心方向にねじ孔とスライド孔を組み合わせて形成されている第２取付け孔を貫通してあり、
上記第１取付け孔と第２取付け孔とは、通孔を形成しかつねじ棒が挿入可能であり、
上記小径部は上記座部の収納孔内に軸心方向に移動可能に、軸心を中心として回転可能にかつ離脱不能に収納されている
ことを特徴とするナット。
【請求項２】
第１及び第２取付け孔の各スライド孔の中心を原点とし、両スライド孔がねじ孔とそれぞれ交わり、各交点の座標を（ｘ，ｙ），（−ｘ，ｙ）として、下記の式を満たすものであることを特徴とする請求項１記載のナット。
ｘ＝Ｓ−Ｗ／２、        ｙ＝Ｒｃｏｓθ
ただし、
ｘ：ねじ孔の中心から交点までの距離
ｙ：スライド孔の中心からねじ孔の中心までの距離
Ｒ：スライド孔の半径
Ｓ：ねじ孔の中心からねじ部のねじ谷までの径
Ｗ：ねじ孔の中心からねじ部のねじ谷までの径と上記中心からねじ部のねじ山
までの径との差
θ：ねじ孔の中心とスライド孔の中心とを結ぶ線と、スライド孔の中心と交点
とを結ぶ線とのなす角度
【請求項３】
第１ナット体の収納孔の内底部には第１取付け孔を囲むように規制溝を約２３０度の範囲に亘って円弧状に設け、第２ナット体の小径部の端面には規制突起を突設し、この規制突起は上記第１ナット体と第２ナット体との相対的回転動作に伴って上記規制溝内を移動可能であることを特徴とする請求項１又は請求項２記載のナット。
【発明の詳細な説明】
【技術分野】
【０００１】
本発明は、ねじ棒に対して移動が容易なナットに関するものである。
【背景技術】
【０００２】
本出願人は、例えば実公平７−５２９１号公報及び特開２０００−３４６０３３号公報などに記載のナットのように、ねじ棒に対して固定位置まで素早く移動することができるナットを提案した。
実公平７−５２９１号公報に記載のナット（以下「従来例」という。）は、上側の平面円形の第１ナット部と下側の平面六角形の第２ナット部とからなり、第１ナット部の外周にねじ部を形成している結合部を設け、第２ナット部にその軸心方向に上記結合部とねじ結合する結合孔を形成し、第１ナット部と第２ナット部とにはねじ孔とスライド孔を組み合わせた取付け孔が貫通されている。第１ナット部の結合部の下面には上記ねじ孔を囲むように約１８０度の制御溝が設けられており、第２ナット部の結合孔の底部に規制体が突設されており、この規制体が制御溝内を移動可能である。
上記ナットをねじ棒に対して固定させるには、第１ナット部の取付け孔と第２ナット部の取付け孔とが上下方向で一致するように第１ナット部を回転させて、両取付け孔が全長に亘って開放された状態で、取付け孔内にねじ棒を通し、ナットを上下にスライド移動させて、所定の位置に達した時点で上下のねじ部をねじ棒に押し当て、スパナで第２ナット部を回転させて、ねじ部が第１ナット部のねじ部と対向的な位置に達すると、双方のねじ部がねじ棒の雄ねじと噛み合いナットは固定される。第２ナット部の回転に伴って、規制体が第１ナット部の制御溝を移動し、その回転角度は約１８０度の範囲に規制される。
【特許文献１】実公平７−５２９１号公報
【特許文献２】特開２０００−３４６０３３号公報
【発明の開示】
【発明が解決しようとする課題】
【０００３】
従来例では、ねじ棒に対して所定位置まですばやく移動でき、所定位置で確実に締め付け固定することができるために、広く利用されているが、より良いナットであるためにユーザーからの要求があった。それは、場所を問うことなくスパナによってナット操作ができるようにする要求である。ねじ棒の径に応じて第２ナット部の取付け孔の径が決まり、この取付け孔の径が決まると第２ナット部全体が決定されるものである。取付け孔は通常のナットのねじ孔（全長に亘って水平断面が同一の円形のねじ孔）とは異なり、ねじ孔とスライド孔とを組み合わせたものである。このために、第２ナット部全体の形状が、ねじ棒に対応した本来の大きさを越えて大きくなり、その結果ナットの取付け場所によってはスパナが入る空間が確保できずに、又はスパナ操作ができる空間が十分とれず、ナットの締め付けができない課題があった。
また本出願人がナットに対して改善する点としては、ナットを回転させた時にナットのねじ部がねじ棒のねじ山に、より一層円滑に噛み合うようにすることである。
本発明の目的は、使い勝手が良いナットを提供することにある。
【課題を解決するための手段】
【０００４】
本発明の第１の特徴は、第１ナット体と第２ナット体とからなり、上記第１ナット体はその軸心方向に平面六角形のナット部と座部とを一体に形成してあって、上記ナット部の軸心部には第１取付け孔を、上記座部の軸心部には収納孔をそれぞれ互いに連通状態に貫通してあり、上記第１取付け孔は、上記第１ナット体の軸心を中心とするねじ孔と、このねじ孔の径より大きくかつねじ孔から偏芯しているスライド孔とを組み合わせて形成され、第１取付け孔の内周の上記ねじ孔側がねじ部であり、上記第２ナット体は一端側に小径部を有し、その軸心方向にねじ孔とスライド孔を組み合わせて形成されている第２取付け孔を貫通してあり、上記第１取付け孔と第２取付け孔とは、通孔を形成しかつねじ棒が挿入可能であり、上記小径部は上記座部の収納孔内に軸心方向に移動可能に、軸心を中心として回転可能にかつ離脱不能に収納されていることにある。
本発明の第２の特徴は、上記第１の特徴を前提として、第１及び第２取付け孔の各スライド孔の中心を原点とし、両スライド孔がねじ孔とそれぞれ交わり、各交点の座標を（ｘ，ｙ），（−ｘ，ｙ）として、下記の式を満たすものであることにある。
ｘ＝Ｓ−Ｗ／２、        ｙ＝Ｒｃｏｓθ
ただし、
ｘ：ねじ孔の中心から交点までの距離
ｙ：スライド孔の中心からねじ孔の中心までの距離
Ｒ：スライド孔の半径
Ｓ：ねじ孔の中心からねじ部のねじ谷までの径
Ｗ：ねじ孔の中心からねじ部のねじ谷までの径と上記中心からねじ部のねじ山
までの径との差
θ：ねじ孔の中心とスライド孔の中心とを結ぶ線と、スライド孔の中心と交点
とを結ぶ線とのなす角度
本発明の第３の特徴は、上記第１又は第２の特徴を前提として、第１ナット体の収納孔の内底部には第１取付け孔を囲むように規制溝を約２３０度の範囲に亘って円弧状に設け、第２ナット体の小径部の端面には規制突起を突設し、この規制突起は上記第１ナット体と第２ナット体との相対的回転動作に伴って上記規制溝内を移動可能であることにある。
【発明の効果】
【０００５】
本発明によれば、第１ナット体をナット部と座部との二つに分けて、一方のナット部をスパナなどの締付け具の操作用として、他方の座部を第２ナット体との連結部分とする構成であるから、ナットの取付け場所によっては従来例ではスパナなどの締付け具の操作が容易ではない場合であっても、ナットの使用が可能となり、締付け操作を可能にすることができる。
本発明における第１取付け孔におけるねじ孔とスライド孔との関係及び第２取付け孔におけるねじ孔とスライド孔との関係を所定の構成原理に基づくようにすれば、ナットを回転させた時に、第１及び第２取付け孔のそれぞれのねじ部がねじ棒の雄ねじのねじ山に円滑に噛み合うことができる。
【発明を実施するための最良の形態】
【０００６】
図１〜図５において、本発明に係るナットＮは、第１ナット体１、第２ナット体２及び規制手段３を備え、このナットをねじ棒（ボルト）Ｂに対して直線的にスライド移動可能であり、かつ任意の位置に締め付けて固定することができる。
【０００７】
第１ナット体１について図１〜図９を参照して説明する。
第１ナット体１はその軸心方向にナット部１１と座部１２とが図１上下二段に一体に形成されているものである。上側のナット部１１は平面六角形に、下側の座部１２は平面円形にそれぞれ形成されており、座部はその径がナット部の径より大きいためにナット部下側が横に張り出されている（図３及び図４）。ナット部１１の軸心部には第１取付け孔１３を、座部１２の軸心部には収納孔１４をそれぞれ貫通し、第１取付け孔と収納孔とが互いに連通状態にある。
第１取付け孔１３について説明する。
図４、図７〜図９に示すように、第１取付け孔１３はねじ孔１３１とスライド孔１３２とが組み合わされた一つの孔である。ねじ孔１３１は第１ナット体１の軸心を中心とし、スライド孔１３２はこのねじ孔の径より大きくかつスライド孔の中心を図８右方向に移動させ、ねじ孔の中心に対して偏芯している。第１取付け孔１３の内周のねじ孔側がねじ部１３１ａである。
【０００８】
第２ナット体２について図１〜図６及び図１０〜図１１を参照して説明する。
第２ナット体２はその軸心方向に図１上側の小径部２１と下側のつば部２２とを一体に形成してある。第２ナット体２にはその軸心方向に第２取付け孔２３を貫通してある。
第２取付け孔２３は第１ナット体１の第１取付け孔１３と実質的に同一構成であり、ねじ孔２３１、ねじ部２３１ａ及びスライド孔２３２は第１取付け孔１３のねじ孔１３１、ねじ部１３１ａ及びスライド孔１３２にそれぞれ対応するものである。
【０００９】
第１ナット体１と第２ナット体２との結合関係について説明する。
図１及び図２に示すように、第２ナット体２の小径部２１は第１ナット体１における座部１２の収納孔１４内に軸心方向に移動可能かつ軸心を中心として回転可能に収納されており、例えばかしめ部１２ａによって小径部は収納孔から離脱不能である。
【００１０】
ここで、第１取付け孔１３及び第２取付け孔２３における構成原理について図１２を参照して説明する。
図２に示すように、ナットＮを回転させた時に、ねじ部１３１ａ，２３１ａがねじ棒Ｂの雄ねじに噛み合って、このねじ棒に固定されるが、この際にこれらのねじ部がねじ棒のねじ山に円滑に噛み合うようにするために、各スライド孔１３２，２３２の中心を原点とし、両スライド孔がねじ孔１３１，２３１とそれぞれ交わり、各交点Ｐ１，Ｐ２の座標を（ｘ，ｙ），（−ｘ，ｙ）として、下記の式を満たすものである。
ｘ＝Ｓ−Ｗ／２、        ｙ＝Ｒｃｏｓθ
ただし、
ｘ：ねじ孔１３１（２３１）の中心Ｃ１から交点Ｐ１までの距離
ｙ：スライド孔１３２（２３２）の中心Ｃ２からねじ孔１３１（２３１）の中
心Ｃ１までの距離
Ｒ：スライド孔１３２（２３２）の半径
Ｓ：ねじ孔１３１（２３１）の中心Ｃ１からねじ部１３１ａ（２３１ａ）のね
じ谷までの径
Ｗ：ねじ孔１３１（２３１）の中心Ｃ１からねじ部１３１ａ（２３１ａ）のね
じ谷までの径と上記中心からねじ部のねじ山までの径との差
θ：ねじ孔１３１（２３１）の中心Ｃ１とスライド孔１３２（２３２）の中心
Ｃ２とを結ぶ線と、上記中心Ｃ２と交点Ｐ１とを結ぶ線とのなす角度
【００１１】
第１取付け孔１３、第２取付け孔２３及びねじ棒Ｂの各関係について説明する。
第１取付け孔１３と第２取付け孔２３とは、ナットＮの軸心部において図１及び図２に示すように上下方向において通孔を形成し、かつねじ棒Ｂが挿入可能であるが、通孔の断面形状はナットＮがねじ棒Ｂをスライド移動される場合と、固定される場合とでは相違する。
ナットＮがねじ棒Ｂをスライド移動される場合は、第１取付け孔１３と第２取付け孔２３とは、図１に示す位置関係にあるときであり、このときは上下方向に同径の通孔を構成し、上側のねじ部１３１ａと下側のねじ部２３１ａとは上下に対向位置されている（図４及び図５）。このため、第１取付け孔１３及び第２取付け孔２３内に挿入されている図１鎖線に示すねじ棒Ｂは、スライド孔１３２，２３２の内周面に当接可能であり、また図１鎖線の位置から左方向に水平移動し雄ねじをねじ部１３１ａ，２３１ａに噛み合わせることが可能である。
ナットＮがねじ棒Ｂに固定される場合には、第１取付け孔１３と第２取付け孔２３とは、図２に示す位置関係にあるときであり、このときはスライド孔１３２，２３２の中心が図水平方向に所定距離ずれた通孔を構成し、上側のねじ部１３１ａは図１の位置から反転し、この上側のねじ部と下側のスライド孔２３２の内周面が上下方向において対向し、上側のスライド孔１３２の内周面と下側のねじ部２３１ａとが上下方向に対向的に配置されている（図１３）。このため、第１取付け孔１３及び第２取付け孔２３内に挿入されている図２鎖線に示すねじ棒Ｂの雄ねじが第１取付け孔１３のねじ部１３１ａと噛み合い、同時に第２取付け孔２３のねじ部２３１ａと噛み合うことができる。
【００１２】
規制手段３について説明する。
規制手段３は規制溝３１と規制突起３２とからなる。規制溝３１は図１、図７及び図８に示すように、座部１２の内底部に第１取付け孔１３を囲むように約２３０度の範囲に亘って円弧状に設けられている。規制溝３１の両端部がストッパ３１ａ，３１ｂ（図８）となっている。また規制突起３２は図１０及び図１１に示すように、第２ナット体２の小径部２１の上端面に突設されているものである。規制突起３２は第１ナット体１と第２ナット体２との相対的回転動作に伴って規制溝３１内を移動可能であり、規制溝のストッパ３１ａ，３１ｂによって移動範囲が制御されている。このために、ナットＮの締付け時に、一方の第１ナット体１を回転させて、第１ナット体を強く締め付けるために回転角度を１８０度越えて回転させても、最大２３０度の範囲内に制御されるから、必要以上の締め付けに伴うナットの損傷を防止することができる。また規制突起３２は、これが規制溝３１の一端部のストッパ３１ａに当接している状態で、第１ナット体１を規制突起が当接する方向に回すことにより、第２ナット体２を強制的に回させる機能を備えている。
【００１３】
ナットＮの使用方法を説明する。
まず、ナットＮを回転させることなくねじ棒Ｂ上をスライド移動させる場合について説明する。
第１ナット体１と第２ナット体２のいずれか一方、例えば第１ナット体を回転させて、ねじ部１３１ａが図１に示すように第２ナット体のねじ部２３１ａの真上に位置され、上下で第１取付け孔１３と第２取付け孔２３とが全長に亘って同径の通孔になった時点で、図１鎖線に示すようにねじ棒Ｂを第１及び第２取付け孔内に貫通させて、ナットＮを上下動させ、第２ナット体の下面をねじ棒に取り付けられている被固定部材（図示せず。）に当接させ、ナットの固定操作に移行する。
次に、ナットＮの固定操作すなわち、ナットを締め付けてねじ棒Ｂ上の任意の位置に固定させ被固定部材を締め付け固定させる場合について説明する。
ナットＮの第２ナット体２を被固定部材に当接させてから、ねじ棒Ｂを図１鎖線に示す位置から左側に移動させて、ねじ棒の雄ねじを第１及び第２取付け孔１３，２３のねじ部１３１ａ，２３１ａに接触させる。そして第１ナット体１のナット部１１をスパナなどの締付け具で回わして第１ナット体が図１及び図４の位置から約１８０度回転させると、第１取付け孔１３と第２取付け孔２３とは互いに接近して行き、やがて図２に示すようにねじ棒Ｂの雄ねじは第１及び第２取付け孔１３，２３のねじ部１３１ａ，２３１ａに噛み合い、ナットＮはねじ棒に固定されると共に、第２ナット体２の下面は被固定部材を押圧し固定する。
さらに、固定を強化し、経時的にナットＮが緩まないようにするために、図２に示す位置にある第１ナット体１を回転させてナットＮを締付けて被固定部材に対して負荷をかける。規制溝３１は約２３０度の範囲で規制突起３２が移動できるから、上記範囲内でナットＮによる被固定部材に対する締付け力を調整する。
ナットＮによる被固定部材の固定を解除するには、第１ナット体１のナット部１１を締付け具で当初の回転方向とは逆に回わすと、第１ナット体は逆転しながら上方に移動し、第２ナット体２の規制突起３２が相対的に規制溝３１内を移動し、第１ナット体が元位置に戻ると、規制突起が規制溝の他端部のストッパ３１ａに当接するから、第１ナット体の逆転を継続すると、第２ナット体２は第１ナット体と共に回転し、ねじ部１３１ａ，２３１ａとが上下に位置し、ねじ棒Ｂとの噛み合いが解除されるから、ねじ棒を第１取付け孔１３と第２取付け孔２３内を図１右方に移動させ、ナットＮをねじ棒上をスライド移動させる。
【００１４】
図１に示すナットＮでは、第１ナット体１をナット部１１と座部１２との二つに分けて、一方のナット部をスパナなどの締付け具の操作用として、他方の座部を第２ナット体２の小径部２１との連結部分とし、座部との接続に伴ってナット部の径が拡大することを抑制し、ナットの取付け場所によっては上述した従来例ではスパナなどの締付け具の操作が容易ではない場合又は使用困難な場合であっても、ナットＮではナット部の回転操作（スパナなどの締付け具の操作）をすることができ、また使用可能である。
図１に示すナットＮにおいて、第１取付け孔１３におけるねじ孔１３１とスライド孔１３２との関係が、そして第２取付け孔２３におけるねじ孔２３１とスライド孔２３２との関係が、上記式を満たす構成原理に基づいているので、ナットＮを回転させた時に、ねじ部１３１ａ，２３１ａがねじ棒Ｂの雄ねじのねじ山に円滑に噛み合うことができる。
図１に示すナットＮの第２ナット体２の規制突起３２は約２３０度の範囲内で第１ナット体１の規制溝３１を移動可能であるから、ナットの締付け時に上記範囲内で第１ナット体１を１８０度を越えて回転させた場合、第２ナット体の小径部２１の上面が第１ナット体の収納孔１４の内底面に強く当たり、いわゆるダブルナットの機能が発揮されて、被固定部材に対する締付け力が増す。
【図面の簡単な説明】
【００１５】
【図１】本発明に係るナットの断面図である。
【図２】本発明に係るナットがねじ棒に固定されている状態を示す断面図である。
【図３】本発明に係るナットの正面図である。
【図４】図３の平面図である。
【図５】図３の底面図である。
【図６】図３のＶＩ−ＶＩ断面図である。
【図７】図３のＶＩＩ−ＶＩＩ断面図である。
【図８】本発明に係るナットにおける第１ナット体の底面図である。
【図９】図８のＩＸ−ＩＸ断面図である。
【図１０】本発明に係るナットにおける第２ナット体の正面図である。
【図１１】図１０の平面図である。
【図１２】第１及び第２取付け孔における構成原理を示す図である。
【図１３】本発明に係るナットの平面図であって、第１ナット体を１８０度回転させた状態を示す図である。
【符号の説明】
【００１６】
Ｂ                  ねじ棒
Ｎ                  ナット
１                  第１ナット体
１１                ナット部
１２                座部
１３                第１取付け孔
１３１              ねじ孔
１３１ａ            ねじ部
１３２              スライド孔
１４                収納孔
２                  第２ナット体
２１                小径部
２３                第２取付け孔
２３１              ねじ孔
２３１ａ            ねじ部
２３２              スライド孔
３                  規制手段
３１                規制溝
３２                規制突起
【図１】
2006064042.tif 000003
【図２】
2006064042.tif 000004
【図３】
2006064042.tif 000005
【図４】
2006064042.tif 000006
【図５】
2006064042.tif 000007
【図６】
2006064042.tif 000008
【図７】
2006064042.tif 000009
【図８】
2006064042.tif 000010
【図９】
2006064042.tif 000011
【図１０】
2006064042.tif 000012
【図１１】
2006064042.tif 000013
【図１２】
2006064042.tif 000014
【図１３】
2006064042.tif 000015